(57)【要約】  他の電子機器から送信される当該他の電子機器の起動時における突入電流を表す突入電流情報を受信する受信部（５０１）と、当該自電子機器の起動時における突入電流を取得する突入電流取得部（５０２）と、他の電子機器の起動時における突入電流及び当該自電子機器の起動時における突入電流を集計する突入電流集計部（５０３）と、自電子機器および他の電子機器の突入電流の集計値と、同時投入可能な電流値を表す電流基準値とに基づいて、前記自電子機器および前記他の電子機器を起動するタイミングを決定するタイミング決定部（５０４）と、決定されたタイミングを表すパワーオンタイミング情報を他の電子機器に送信する送信部（５０５）とを有する。
2019142321.tif 000002
【特許請求の範囲】
【請求項１】
他の電子機器から送信される当該他の電子機器の起動時における突入電流を表す突入電流情報を受信する受信部と、
自電子機器の起動時における突入電流を取得する突入電流取得部と、
前記他の電子機器の起動時における突入電流及び当該自電子機器の起動時における突入電流を集計する突入電流集計部と、
前記自電子機器および前記他の電子機器の突入電流の集計値と、同時投入可能な電流値を表す電流基準値とに基づいて、前記自電子機器および前記他の電子機器を起動するタイミングを決定するタイミング決定部と、
前記決定されたタイミングを表すパワーオンタイミング情報を前記他の電子機器に送信する送信部と、
を有する電子機器。
【請求項２】
前記他の電子機器は複数であり、
前記タイミング決定部は、前記突入電流情報に基づいて、前記電流基準値に収まる組み合わせとなるように前記自電子機器及び複数の前記他の電子機器をグループ分けし、グループ毎に前記タイミングを決定する
請求項１記載の電子機器。
【請求項３】
前記自電子機器および前記他の電子機器は、マルチディスプレイを構成する画像表示装置であるとともに、番号が割り振られており、
前記タイミング決定部は、さらに前記番号に基づいて、前記自電子機器および複数の前記他の電子機器をグループ分けする、
請求項２記載の電子機器。
【請求項４】
前記番号は、前記自電子機器および複数の前記他の電子機器がデイジーチェーンにより接続されている順に応じて割り振られる、
請求項３記載の電子機器。
【請求項５】
前記番号は、前記マルチディスプレイにおける前記自電子機器および前記他の電子機器の配置に応じて割り振られる、
請求項３記載の電子機器。
【請求項６】
バックライトと、
前記バックライトからの光が照射されるパネルと、
をさらに有し、
前記突入電流取得部は、前記バックライトと前記突入電流との関係を示す突入電流テーブルを参照して、当該自装置機器の起動時における前記突入電流を取得する
請求項１から５のいずれか１項に記載の電子機器。
【請求項７】
他の電子機器から送信される当該他の電子機器の起動時における突入電流を表す突入電流情報を受信し、
自電子機器の起動時における突入電流を取得し、
前記他の電子機器の起動時における突入電流及び前記自電子機器の起動時における突入電流を集計し、
前記自電子機器および前記他の電子機器の突入電流の集計値と、同時投入可能な電流値を表す電流基準値とに基づいて、前記自電子機器および前記他の電子機器を起動するタイミングを決定し、
前記決定されたタイミングを表すパワーオンタイミング情報を前記他の電子機器に送信する
電子機器の電源管理方法。
【発明の詳細な説明】
【技術分野】
【０００１】
本発明は、電子機器及び電子機器の電源管理方法に関する。
【背景技術】
【０００２】
近年、プロジェクタや液晶モニター等の画像表示装置をマトリクス状に配置し、表示する画像の解像度を拡張することが行われている（例えば特許文献１）。上述したようなマルチディスプレイ環境下において、通常、各画像表示装置に対して同一のブレーカーやコンセントから電源を供給する構成が用いられる。この構成において、複数の画像表示装置の電源を一斉に投入すると、過電流が発生して、ブレーカーが落ちたり、画像表示装置の破壊が起きるおそれがある。そのため、従来においては、パワーオンディレイ機能があり、マルチディスプレイを構成する画像表示装置毎に異なる遅延時間を設定し、複数の画像表示装置における電源オンの制御に対し、画像表示装置毎に電源投入のタイミングをずらす制御が行われている（例えば特許文献２）。
【先行技術文献】
【特許文献】
【０００３】
【特許文献１】特開２００３−４６７５１号公報
【特許文献２】国際公開ＷＯ２０１４／１３２４２２パンフレット
【発明の概要】
【発明が解決しようとする課題】
【０００４】
しかしながら、パワーオンディレイ機能を設定するためには、一斉に電源オンが行われる画像表示装置毎に、異なる遅延時間をＯＳＤ（On Screen Display）メニューの画面において、ユーザが１台毎に手動によって設定する必要があり、設定に手間がかかる。また、各画像表示装置に設定する遅延時間の設定値の時間幅を、遅延時間を設定する画像表示装置の台数分、すなわち（台数−１）×単位遅延時間で準備しておく必要がある。ここで、単位遅延時間は、画像表示装置毎に順次遅延させる単位となる時間幅である。例えば、３秒の単位遅延時間幅で１００台の表示画像装置に対し、電源投入を順次行う場合、１台目は遅延時間が０秒となり、２台目は遅延時間が３秒となり、３台目は遅延時間が６秒となり、１００台目は遅延時間が２９７秒となる。これらの遅延時間を全て手動によりユーザが正確に設定する必要があり、ユーザの手間が大きくなる。【０００５】
これらの課題を解決する為に、複数台接続されている画面表示装置毎にＩＤ番号を割り振り、ＩＤ番号に対して予め記録装置に記憶されている単位遅延時間を乗算し、乗算結果を自身の遅延時間として画像表示装置毎の電源投入のタイミングをずらすようなものが提案されている。しかしながら、この場合、接続されている台数が多い場合は、後段に接続されている画面表示装置になるほど遅延時間が長くなり、電源オンの操作を行ってから全ての画像表示装置の画面表示を確認できるようになるまで、ユーザが長時間待たされることになる。例えば、３秒の単位遅延時間幅で１００台の表示画像装置に対し、電源投入を順次行う場合、１００台目の遅延時間は（３秒×９９＝２９７秒）となる。【０００６】
上述の課題を鑑み、本発明は、ユーザの手間を軽減できるとともに、電源投入操作を行ってから全ての電子機器の稼動可能な状態に至るまでの時間を短縮できる電子機器及び電子機器の電源管理方法を提供することを目的とする。
【課題を解決するための手段】
【０００７】
上述の課題を解決するために、本発明の一態様に係る電子機器は、他の電子機器から送信される当該他の電子機器の起動時における突入電流を表す突入電流情報を受信する受信部と、自電子機器の起動時における突入電流を取得する突入電流取得部と、前記他の電子機器の起動時における突入電流及び当該自電子機器の起動時における突入電流を集計する突入電流集計部と、前記自電子機器および前記他の電子機器の突入電流の集計値と、同時投入可能な電流値を表す電流基準値とに基づいて、前記自電子機器および前記他の電子機器を起動するタイミングを決定するタイミング決定部と、前記決定されたタイミングを表すパワーオンタイミング情報を前記他の電子機器に送信する送信部と、を有する。【０００８】
本発明の一態様に係る電子機器の電源管理方法は、他の電子機器から送信される当該他の電子機器の起動時における突入電流を表す突入電流情報を受信し、自電子機器の起動時における突入電流を取得し、前記他の電子機器の起動時における突入電流及び前記自電子機器の起動時における突入電流を集計し、前記自電子機器および前記他の電子機器の突入電流の集計値と、同時投入可能な電流値を表す電流基準値とに基づいて、前記自電子機器および前記他の電子機器を起動するタイミングを決定し、前記決定されたタイミングを表すパワーオンタイミング情報を前記他の電子機器に送信する。
【発明の効果】
【０００９】
本発明によれば、複数の電子機器によりシステムを構築したとき、電源投入の操作を行ってから全ての電子機器が稼動可能な状態に至るまでの時間を短縮できる。
【図面の簡単な説明】
【００１０】
【図１】本発明の第１の実施形態に係るマルチディスプレイシステムの概要の説明図である。
【図２】本発明の第１の実施形態に係る画像表示装置の一例の構成を示すブロック図である。
【図３】複数の画像表示装置によりマルチディスプレイシステムを構築する場合の接続状態の説明図である。
【図４】マルチディスプレイシステムを構成する各画像表示装置への電源供給の説明図である。
【図５】バックライトの設定値と突入電流との対応関係を示す突入電流テーブルの一例の説明図である。
【図６】パワーオンディレイの設定画面の一例の説明図である。
【図７】本発明の第１の実施形態に係るマスター側の画像表示装置の動作に基づく機能ブロック図である。
【図８】本発明の第１の実施形態に係るスレーブ側の画像表示装置の動作に基づく機能ブロック図である。
【図９】本発明の第１の実施形態に係るマルチディスプレイシステムにおいてパワーオンディレイ機能を設定するまでの処理を示すシーケンス図である。
【図１０】本発明の第１の実施形態に係るマルチディスプレイシステムにおいてパワーオンディレイ機能を設定するまでの処理を示すシーケンス図である。
【図１１】本発明の第１の実施形態に係るマルチディスプレイシステム１におけるパワーオンディレイ機能による電源管理処理を示すシーケンス図である。
【図１２】本発明による画像表示装置の基本構成を示す概略ブロック図である。
【発明を実施するための形態】
【００１１】
以下、本発明の実施の形態について図面を参照しながら説明する。図１は、本発明の第１の実施形態に係るマルチディスプレイシステムの概要の説明図である。この実施形態においては、電子機器の一例として画像表示装置を適用した場合について説明する。
【００１２】
図１に示すように、本発明の第１の実施形態に係るマルチディスプレイシステム１は、複数の画像表示装置１０−１〜１０−６をマトリクス状に配置して構成される。この例では、水平方向に３台、垂直方向に２台の合計６台の画像表示装置１０−１〜１０−６が配置されている。画像表示装置１０−１〜１０−６は、プロジェクタや液晶モニター等である。
【００１３】
図２は、本発明の第１の実施形態に係る画像表示装置１０−１〜１０−６の一例の構成を示すブロック図である。なお、この例では、画像表示装置１０−１〜１０−６として、液晶モニターが用いられているが、プロジェクタの場合にも、基本的な構成は同様である。
【００１４】
図２に示すように、画像表示装置１０−１〜１０−６は、入力部１１と、映像処理部１２と、液晶パネル１３と、バックライト１４と、制御部１５と、メモリ１６と、受光部１７と、通信部１８と、電源部１９とから構成されている。
【００１５】
入力部１１は、ＨＤＭＩ（登録商標）（High Definition Multimedia Interface）入力端子、ＶＧＡ（Video Graphics Array）入力端子、ＲＧＢ入力端子、コンポジットビデオ入力端子等の映像入力端子を備えている。入力部１１は、制御部１５の制御の基に、入力映像信号を選択し、選択した映像信号を映像処理部１２に出力する。
【００１６】
映像処理部１２は、入力部１１からの映像信号に対して、制御部１５の制御の基に、輝度補正、色補正、画面の位置や画サイズの調整等、種々の映像処理を行う。映像処理部１２の出力は、液晶パネル１３に供給される。
【００１７】
液晶パネル１３は、映像処理部１２からの映像信号に基づく画像を表示する。液晶パネル１３の背面には、バックライト１４が配設される。バックライト１４は、制御部１５の制御の基に、液晶パネル１３に対して透過光を照射する。
【００１８】
制御部１５は、ＣＰＵ(Central Processing Unit)等からなり、プログラムに基づいて、機器の全体制御を行っている。制御部１５に対して、メモリ１６が設けられる。メモリ１６は、プログラムに基づいて、各種の処理データの読み出し／書き込みを行う。
【００１９】
制御部１５に対して、受光部１７が設けられる。受光部１７は、リモートコントローラ２０からの赤外線コマンド信号を受光し、そのコマンド信号を制御部１５に供給する。制御部１５は、このコマンド信号に基づいて、各種の動作設定を行う。
【００２０】
また、制御部１５に対して、通信部１８が設けられる。通信部１８としては、ＲＳ２３２Ｃ（ＵＡＲＴ：Universal Asynchronous Receiver/Transmitter,）、有線ＬＡＮ(Local Area Network)等が用いられる。
【００２１】
電源部１９は、商用電源を所望の電圧の電源に変換して、機器の内部の各部に供給する。
【００２２】
図３は、複数の画像表示装置１０−１〜１０−６により、マルチディスプレイシステム１を構築する場合の接続状態の説明図である。図３に示すように、画像表示装置１０−１と画像表示装置１０−２とが信号線３１−１で接続される。画像表示装置１０−２と画像表示装置１０−３とが信号線３１−２で接続される。画像表示装置１０−３と画像表示装置１０−４とが信号線３１−３で接続される。画像表示装置１０−４と画像表示装置１０−５とが信号線３１−４で接続される。画像表示装置１０−５と画像表示装置１０−６とが信号線３１−５で接続される。信号線３１−１〜３１−５は、各画像表示装置１０−１〜１０−６における互いの通信部１８（図２）の間を接続するもので、信号線３１−１〜３１−５としては、ＬＡＮケーブル、ＲＳ２３２Ｃケーブル等が用いられる。これら信号線３１−１〜３１−５により、各画像表示装置１０−１〜１０−６はデイジーチェーンにより接続され、互いに、データの送受が可能となる。
【００２３】
マルチディスプレイシステム１には、自動ＩＤ割り振り機能がある。これは各画像表示装置１０−１〜１０−６に、各表示装置で固有のＩＤ番号を自動で割り振る機能である。自動ＩＤ割り振り機能が実行されると、各画像表示装置１０−１〜１０−６に、ＩＤ１〜ＩＤ６のＩＤ番号が割り振られる。画像表示装置１０−１〜１０−６の中で、例えばＩＤ１のＩＤ番号が割り振られた画像表示装置１０−１がマスターとなり、他の画像表示装置１０−２〜１０−６がスレーブとなる。マスター側の画像表示装置１０−１は、ＩＤ番号により、マルチディスプレイシステム１を構成する画像表示装置１０−１〜１０−６の接続台数や、画像表示装置１０−１〜１０−６の中でどの画像表示装置からのコマンド応答を受信したか等を判断する。また、本実施形態に係るマルチディスプレイシステム１では、ＩＤとは別に、ポジション（POSITION）番号を設定することができる。
【００２４】
図４は、マルチディスプレイシステム１を構成する各画像表示装置１０−１〜１０−６への電源供給の説明図である。マルチディスプレイシステム１を構成する各画像表示装置１０−１〜１０−６は、近接した位置にあることから、同一のコンセントや同一系統のブレーカから電源を供給する可能性が高い。この例では、図４に示すように、各画像表示装置１０−１〜１０−６に対して、同一のコンセント３８から電源を供給している。
【００２５】
すなわち、各画像表示装置１０−１〜１０−６には、電源コード３５−１〜３５−６が設けられている。電源コード３５−１〜３５−６は、各画像表示装置１０−１〜１０−６における電源部１９（図２）に電源を供給するものである。電源コード３５−１〜３５−６の先端のプラグは、同一の電源タップ３７に装着される。電源タップ３７のプラグは、コンセント３８に装着される。
【００２６】
ここで、画像表示装置１０−１〜１０−６に対して同時に電源オンの操作が行われると、画像表示装置１０−１〜１０−６への電流が同一のコンセント３８から同一の電源タップ３７を介して流れることになる。画像表示装置１０−１〜１０−６へは、電源オン時に、大きな突入電流が流れる。
【００２７】
これに対処するために、本実施形態に係る画像表示装置１０−１〜１０−６には、パワーオンディレイ機能が備えられている。パワーオンディレイ機能は、複数台の画像表示装置１０−１〜１０−６が同時に電源オンとならないように、各画像表示装置１０−１〜１０−６の電源オンのタイミングを分散させる機能である。本実施形態では、パワーオンディレイ機能により電源オン時間のタイミングを設定する際に、画像表示装置１０−１〜１０−６の突入電流の集計値と、同時投入可能電流とに基づいて、突入電流の合計が同時投入可能電流に収まるように画像表示装置１０−１〜１０−６をグループ分けし、各グループ毎に、パワーオン遅延時間を設定している。このことについて、以下に説明する。
【００２８】
上述のように、この例では、６台の画像表示装置１０−１〜１０−６により、マルチディスプレイシステム１が構成されている。ここで、画像表示装置１０−１〜１０−６の１台当たりの突入電流が例えば２０Ａであるとする。また、同時投入可能電流が１００Ａであるとする。
【００２９】
１台当たりの突入電流が例えば２０Ａであるとすると、６台の画像表示装置１０−１〜１０−６を一斉に電源オンしたとすると、合計電流は（２０Ａ×６＝１２０Ａ）となる。これは、同時投入可能電流１００Ａを越えることになる。一斉に電源オンする画像表示装置の数を５台に減らすと、合計電流は（２０Ａ×５＝１００Ａ）となり、突入電流の合計が同時投入可能電流（１００Ａ）内に収まる。よって、この場合、１グループが５台以下となるような組み合わせで、画像表示装置１０−１〜１０−６をグループ分けする。
【００３０】
具体的には、マスター側の画像表示装置１０−１は、スレーブ側の画像表示装置１０−２〜１０−６に、突入電流取得要求を行う。突入電流は、メモリ１６に記憶されているバックライトの設定値と突入電流との対応関係を示す突入電流テーブルを参照して算出できる。突入電流テーブルの値は、機種に依存した値となる。
【００３１】
図５は、バックライトの設定値と突入電流との対応関係を示す突入電流テーブルの一例の説明図である。この突入電流テーブルから、例えば、バックライトの設定値が「１００」なら、突入電流は２０Ａとなる。スレーブ側の画像表示装置１０−２〜１０−６は、突入電流取得要求を受信すると、突入電流テーブルを参照して突入電流情報を取得し、この突入電流情報をマスター側の画像表示装置１０−１に送信する。
【００３２】
マスター側の画像表示装置１０−１は、スレーブ側の各画像表示装置１０−２〜１０−６から送られてきた突入電流及び自身の突入電流を集計し、突入電流の合計が同時投入可能電流に収まるように、グループ分けを行う。そして、各グループ毎にパワーオン遅延時間を設定し、パワーオン遅延時間の設定値をスレーブ側の各画像表示装置１０−２〜１０−６に送信する。
【００３３】
同時投入可能電流は、マスター側の画像表示装置１０−１に予め設定値を推奨値として記録しておき、工場出荷後に、ユーザにより変更可能としておく。ユーザは、電源タップ３７やコンセント３８の許容電流値、ブレーカーの容量等を考慮して、同時投入可能電流の値を変更できる。単位遅延時間は、マスター側の画像表示装置１０−１に予め設定値を推奨値として記録しておき、工場出荷後に、ユーザにより変更可能としておく。単位遅延時間の推奨値は、各画像表示装置１０−１〜１０−６において、電源投入から電流が安定するまでに十分な時間である。
【００３４】
図６は、パワーオンディレイの設定画面５０の一例の説明図である。この設定画面５０は、マスター側の画像表示装置１０−１のＯＳＤ（On Screen Display）メニューの画面により表示される。図６に示すように、パワーオンディレイ機能の設定画面５０には、パワーオンディレイ機能のイネーブル／ディスイネーブルの設定画面５１、同時投入可能電流の設定画面５２、単位遅延時間の設定画面５３が含まれている。ユーザは、この画面で操作を行うことで、同時投入可能電流や単位遅延時間を変更できる。
【００３５】
前述したように、画像表示装置１０−１〜１０−６の１台当たりの突入電流が例えば２０Ａであるとし、同時投入可能電流が１００Ａであるとすると、１グループが５台以下となるような組み合わせでグループ分けをすれば、突入電流の合計が同時投入可能電流に収まるという条件を満足するグループ分けが行える。グループ分けは、例えばＩＤ番号に基いて行われる。すなわち、この例では、各画像表示装置１０−１〜１０−６に、ＩＤ１〜ＩＤ６のＩＤ番号が割り振られている。この場合、５台分のＩＤ番号に当たるＩＤ１〜ＩＤ５の画像表示装置１０−１〜１０−５をグループ＃１とし、残りのＩＤ番号に当たるＩＤ６の画像表示装置１０−６をグループ＃２とする。そして、グループ＃１に属する画像表示装置１０−１〜１０−５のパワーオン遅延時間を０秒に設定し、グループ＃２に属する画像表示装置１０−６のパワーオン遅延時間を所定の単位遅延時間幅（例えば１秒）を単位として設定する。
【００３６】
このように、各画像表示装置１０−１〜１０−６のパワーオン遅延時間を設定しておくと、次回、画像表示装置１０−１〜１０−６に対して同時に電源オンの操作を行ったとき、グループ＃１の画像表示装置１０−１〜１０−５は電源オン操作とともに直ちに電源オンとなり、グループ＃２の画像表示装置１０−６は電源オン操作から１秒のパワーオン遅延時間を経過後に電源オンとなる。
【００３７】
図７は、本発明の第１の実施形態に係るマスター側の画像表示装置１０−１の動作を機能ブロック図で示したものである。図７に示すように、マスター側の画像表示装置１０−１は、コマンド送信部１０１と、コマンド受信部１０２と、バックライト設定部１０３と、突入電流テーブル１０４と、突入電流取得部１０５と、突入電流集計部１０６と、タイミング決定部１０７と、電源管理部１０８とから構成される。
【００３８】
コマンド送信部１０１は、スレーブ側の画像表示装置１０−２〜１０−６に、突入電流取得要求を送信する。また、コマンド送信部１０１は、スレーブ側の画像表示装置１０−２〜１０−６に、パワーオン遅延時間情報を送信する。
【００３９】
コマンド受信部１０２は、スレーブ側の画像表示装置１０−２〜１０−６から送られてきた突入電流情報を受信する。
【００４０】
バックライト設定部１０３は、ユーザ操作に応じて、自装置のバックライト１４の光量を設定する。
【００４１】
突入電流テーブル１０４は、バックライトの設定値と突入電流との対応関係を示すテーブルであり、図５に示したように構成される。
【００４２】
突入電流取得部１０５は、突入電流テーブル１０４を参照して、自装置のバックライトの設定値から、自装置の突入電流を取得する。
【００４３】
突入電流集計部１０６は、スレーブ側の画像表示装置１０−２〜１０−６に突入電流取得要求を送信し、スレーブ側の画像表示装置１０−２〜１０−６からの突入電流情報を受信すると、スレーブ側の画像表示装置１０−２〜１０−６から送られてきた突入電流情報と自装置の突入電流とを集計する。
【００４４】
タイミング決定部１０７は、スレーブ側の画像表示装置１０−２〜１０−６の突入電流と自装置の突入電流の集計値と、同時投入可能電流値とに基づいて、突入電流の合計が同時投入可能電流値に収まる組み合わせとなるように画像表示装置をグループ分けし、グループ毎に、各画像表示装置１０−１〜１０−６のパワーオン遅延時間を決定する。自装置のパワーオン遅延時間は、電源管理部１０８に送られる。また、スレーブ側の各画像表示装置１０−２〜１０−６のパワーオン遅延時間情報は、コマンド送信部１０１から、スレーブ側の画像表示装置１０−２〜１０−６に向けて送信される。
【００４５】
電源管理部１０８は、タイミング決定部１０７で決定された自装置のパワーオン遅延時間に基いて、パワーオン遅延時間を設定する。
【００４６】
図８は、本発明の第１の実施形態に係るスレーブ側の画像表示装置１０−２〜１０−６の動作を機能ブロック図で示したものである。図８に示すように、スレーブ側の画像表示装置１０−２〜１０−６は、コマンド送信部２０１と、コマンド受信部２０２と、バックライト設定部２０３と、突入電流テーブル２０４と、突入電流取得部２０５と、電源管理部２０６とから構成される。
【００４７】
コマンド送信部２０１は、マスター側の画像表示装置１０−１に、突入電流情報を送信する。
【００４８】
コマンド受信部２０２は、マスター側の画像表示装置１０−１から突入電流取得要求を受信する。
【００４９】
バックライト設定部２０３は、ユーザ操作に応じて、自装置のバックライト１４の光量を設定する。
【００５０】
突入電流テーブル２０４は、バックライトの設定値と突入電流との対応関係を示すテーブルであり、図５に示したように構成される。
【００５１】
突入電流取得部２０５は、マスター側の画像表示装置１０−１からの突入電流取得要求を受信すると、自装置のバックライトの設定値から、突入電流テーブル２０４を参照して、自装置の突入電流を取得する。取得した突入電流情報は、コマンド送信部２０１から、マスター側の画像表示装置１０−１に向けて送られる。
【００５２】
前述したように、マスター側の画像表示装置１０−１は、突入電流の合計が同時投入可能電流値に収まる組み合わせとなるように画像表示装置をグループ分けし、グループ毎に、各画像表示装置１０−１〜１０−６のパワーオン遅延時間を決定し、スレーブ側の画像表示装置１０−２〜１０−６に、パワーオン遅延時間情報を送信している。電源管理部２０６は、マスター側の画像表示装置１０−１からパワーオン遅延時間情報を受信すると、当該画像表示装置のパワーオン遅延時間を設定する。
【００５３】
図９及び図１０は、本発明の第１の実施形態に係るマルチディスプレイシステム１においてパワーオンディレイ機能を設定するまでの処理を示すシーケンス図である。
【００５４】
（ステップＳ１０１）ユーザは、電源オンの操作により、画像表示装置１０−１〜１０−６に対して電源オン指令を与える。
（ステップＳ１０２ａ〜１０２ｆ）工場出荷時の初期状態では、各画像表示装置１０−１〜１０−６のパワーオン遅延時間は設定されていない。このため、各画像表示装置１０−１〜１０−６は、直ちに電源オンとなる。
（ステップＳ１０３ａ〜１０３ｆ）各画像表示装置１０−１〜１０−６は、電源オンとなると、バックライト１４を点灯させる。
【００５５】
（ステップＳ１０４ａ〜１０４ｅ）マスター側の画像表示装置１０−１は、スレーブ側の画像表示装置１０−２〜１０−６に、突入電流取得要求を送信する。各画像表示装置１０−１〜１０−６は、バックライトの設定値を基に、突入電流テーブルを参照して突入電流を取得する。
（ステップＳ１０５ａ〜１０５ｅ）スレーブ側の画像表示装置１０−２〜１０−６は、マスター側の画像表示装置１０−１に、各自の突入電流情報を送信する。
【００５６】
（ステップＳ１０６）マスター側の画像表示装置１０−１は、スレーブ側の画像表示装置１０−２〜１０−６から送られてきた突入電流及び自身の突入電流を集計する。
（ステップＳ１０７）マスター側の画像表示装置１０−１は、突入電流の合計が同時投入可能電流に収まるように、グループ分けを行ない、各グループ毎に遅延時間を設定し、各画像表示装置１０−１〜１０−６のパワーオン遅延時間を確定する。この例では、ＩＤ１〜ＩＤ５の画像表示装置１０−１〜１０−５をグループ＃１とし、ＩＤ６の画像表示装置１０−６をグループ＃２としている。そして、グループ＃１の画像表示装置１０−１〜１０−５のパワーオン遅延時間を「０秒」とし、グループ＃２の画像表示装置１０−６のパワーオン遅延時間を「１秒」としている。
（ステップＳ１０８ａ〜１０８ｅ）マスター側の画像表示装置１０−１は、スレーブ側の画像表示装置１０−２〜１０−６に、パワーオン遅延時間を送信する。
【００５７】
（ステップＳ１０９）ここで、画像表示装置１０−３で、バックライトの設定値を変更したとする。バックライトの設定値が変更されると、突入電流が変化する。画像表示装置１０−３は、変更されたバックライトの設定値を基に、突入電流テーブルを参照して突入電流を取得する。
（ステップＳ１１０）画像表示装置１０−３は、マスター側の画像表示装置１０−１に、突入電流情報を送信する。
【００５８】
（ステップＳ１１１）マスター側の画像表示装置１０−１は、画像表示装置１０−３の突入電流の変更値に応じて、スレーブ側の画像表示装置１０−２〜１０−６の突入電流及び自身の突入電流を集計し直す。
（ステップＳ１１２）マスター側の画像表示装置１０−１は、突入電流の合計が同時投入可能電流に収まるようにグループ分けを行ない、各グループ毎にパワーオン遅延時間を設定し、各画像表示装置１０−１〜１０−６のパワーオン遅延時間を確定する。
（ステップＳ１１３ａ〜１１３ｅ）マスター側の画像表示装置１０−１は、スレーブ側の画像表示装置１０−２〜１０−６に、パワーオン遅延時間を送信する。
【００５９】
（ステップＳ１１４）ここで、画像表示装置１０−５で、バックライトの設定値を変更したとする。バックライトの設定値が変更されると、突入電流が変化する。画像表示装置１０−３は、変更されたバックライトの設定値を基に、突入電流テーブルを参照して突入電流を取得する。
（ステップＳ１１５）画像表示装置１０−５は、マスター側の画像表示装置１０−１に、突入電流情報を送信する。
【００６０】
（ステップＳ１１６）マスター側の画像表示装置１０−１は、画像表示装置１０−６の突入電流の変更値に応じて、スレーブ側の画像表示装置１０−２〜１０−６の突入電流及び自身の突入電流を集計し直す。
（ステップＳ１１７）マスター側の画像表示装置１０−１は、突入電流の合計が同時投入可能電流に収まるようにグループ分けを行ない、各グループ毎にパワーオン遅延時間を設定し、各画像表示装置１０−１〜１０−６のパワーオン遅延時間を確定する。この例では、最終的に、グループ＃１の画像表示装置１０−１〜１０−５のパワーオン遅延時間を「０秒」とし、グループ＃２の画像表示装置１０−６のパワーオン遅延時間を「１秒」としている。
（ステップＳ１１８ａ〜１１８ｅ）マスター側の画像表示装置１０−１は、スレーブ側の画像表示装置１０−２〜１０−６に、パワーオン遅延時間を送信する。
【００６１】
（ステップＳ１１９）パワーオンディレイの機能を使用する場合、ユーザは、パワーオンディレイの機能をイネーブルに設定する。
（ステップＳ１２０）ユーザの電源オフ操作により、画像表示装置１０−１〜１０−６の電源がオフされる。
【００６２】
以上の処理により、各画像表示装置１０−１〜１０−６に、パワーオン遅延時間が設定され、パワーオンディレイ機能がイネーブルとなる。再度電源オンを操作すると、各画像表示装置１０−１〜１０−６は、設定されたパワーオン遅延時間に応じて、電源オンのタイミングが設定される。
【００６３】
図１１は、本発明の第１の実施形態に係るマルチディスプレイシステム１におけるパワーオンディレイ機能による電源管理処理を示すシーケンス図である。
【００６４】
（ステップＳ２０１）ユーザは、電源オンの操作により、画像表示装置１０−１〜１０−６に対して電源オン指令を与える。
【００６５】
（ステップＳ２０２ａ〜２０２ｆ）各画像表示装置１０−１〜１０−６は、設定されているパワーオン遅延時間に応じた遅延時間の後に、電源オンとなる。この例では、グループ＃１に属する画像表示装置１０−１〜１０−５は直ちに電源オンとなり、グループ＃２に属する画像表示装置１０−６は、１秒のパワーオン遅延時間の経過後に、電源オンとなる。
【００６６】
（ステップＳ２０３ａ〜２０３ｆ）各画像表示装置１０−１〜１０−６は、電源オンとなると、バックライト１４を点灯させる。すなわち、画像表示装置１０−１〜１０−５は、ユーザの電源オンの操作後、直ちに電源オンとなり、バックライト１４を点灯させる。画像表示装置１０−６は、ユーザの電源オンの操作後、１秒経過して電源オンとなり、バックライト１４を点灯させる。
【００６７】
なお、上述の例では、ＩＤ番号によるグループ分けをしているが、このグループ分けは、ポジション番号によって行っても良い。ＩＤ番号やポジション番号は、マルチディスプレイを接続する形態や、ユーザ設定により異なってくる。このため、パワーオンディレイのグループ分けをポジション番号によって行うことは、起動時の見栄えを変更するのに有効である。例えば、図３に示したようにポジション番号を上から下に順に割り振れば、上から順にバックライトがつくような見栄えになるが、図４に示したように、ポジション番号を下から上に順に割り振れば、下から順にバックライトがつくような見栄えになる。
【００６８】
以上説明したように、本実施形態では、画像表示装置１０−１〜１０−６の突入電流の集計値と、同時投入可能電流とに基づいて、突入電流の合計が同時投入可能電流に収まるように画像表示装置１０−１〜１０−６をグループ分けし、各グループ毎に、パワーオン遅延時間を設定している。この場合、６台の画像表示装置１０−１〜２０−６は、２つのグループに分けてパワーオン遅延時間が設定されることになり、最大の遅延時間は（単位遅延時間×１）秒となる。これに対して、通常のパワーオンディレイ機能では、電源オン時の全体の遅延時間は、（単位遅延時間×５）秒になる。このように、本実施形態では、複数の画像表示装置によりマルチディスプレイシステムを構築したとき、電源投入操作を行ってから全ての画像表示装置の画面表示を確認できるまでの時間を短縮できる。
【００６９】
図１２は、本発明による画像表示装置の基本構成を示す概略ブロック図である。すなわち、本発明による画像表示装置５００は、受信部５０１と、突入電流取得部５０２と、突入電流集計部５０３と、タイミング決定部５０４と、送信部５０５とを有する。
【００７０】
受信部５０１は、マルチディスプレイを構成する画像表示装置のうち自装置以外の他の画像表示装置から送信される当該他の画像表示装置の起動時における突入電流を表す突入電流情報を受信する。突入電流取得部５０２は、当該自装置の起動時における突入電流を取得する。突入電流集計部５０３は、他の画像表示装置の起動時における突入電流及び当該自装置の起動時における突入電流を集計する。タイミング決定部５０４は、突入電流の集計値と、同時投入可能な電流値を表す電流基準値とに基づいて、突入電流情報の送信元である他の画像表示装置を起動するタイミングを決定する。送信部５０５は、決定されたタイミングを表すパワーオンタイミング情報を他の画像表示装置に送信する。
【００７１】
以上説明した実施形態において、電子機器が液晶ディスプレイである場合を一例として説明したが、電子機器としては、複数の電子機器が連携して１つのシステムを構築できるものであれば、液晶ディスプレイ以外の電子機器を適用することができる。例えば、電子機器は、プロジェクタを用いることができる。この場合、複数のプロジェクタから映像信号に応じた画像を投影することで１つの映像を形成することができる。また、電子機器は、照明器具を用いることができる。この場合、複数の照明器具を点灯させ、照明する対象の領域を照明することができる。また、電子機器は、計測器を用いることができる。この場合、複数の計測器を起動させ、測定対象領域を複数の計測器を用いて測定することができる。
【００７２】
また、マルチディスプレイシステム１の機能を実現するためのプログラムをコンピュータ読み取り可能な記録媒体に記録して、この記録媒体に記録されたプログラムをコンピュータシステムに読み込ませ、実行することにより施工管理を行ってもよい。なお、ここでいう「コンピュータシステム」とは、ＯＳや周辺機器等のハードウェアを含むものとする。
【００７３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものを含むものとする。また上記プログラムは、前述した機能の一部を実現するためのものであっても良く、さらに前述した機能をコンピュータシステムにすでに記録されているプログラムとの組み合わせで実現できるものであってもよい。また、上記のプログラムを所定のサーバに記憶させておき、他の装置からの要求に応じて、当該プログラムを通信回線を介して配信（ダウンロード等）させるようにしてもよい。
【００７４】
以上、この発明の実施形態について図面を参照して詳述してきたが、具体的な構成はこの実施形態に限られるものではなく、この発明の要旨を逸脱しない範囲の設計等も含まれる。
【符号の説明】
【００７５】
５００ 画像表示装置
５０１ 受信部
５０２ 突入電流取得部
５０３ 突入電流集計部
５０４ タイミング決定部
５０５ 送信部
【図１】
2019142321.tif 000003
【図２】
2019142321.tif 000004
【図３】
2019142321.tif 000005
【図４】
2019142321.tif 000006
【図５】
2019142321.tif 000007
【図６】
2019142321.tif 000008
【図７】
2019142321.tif 000009
【図８】
2019142321.tif 000010
【図９】
2019142321.tif 000011
【図１０】
2019142321.tif 000012
【図１１】
2019142321.tif 000013
【図１２】
2019142321.tif 000014
【国際調査報告】
2019142321.tif 000015
2019142321.tif 000016
2019142321.tif 000017